(57)【要約】【課題】閲覧及び情報の入力に便利である携帯式電子装置に用いられるインスタントメッセージング方法を提供する。【解決手段】タッチスクリーンに入力された第一タッチジェスチャーに対して判別を行い、前記第一タッチジェスチャーが予め設定された第一ジェスチャーとマッチングすると、投影ユニットが、第一投影領域にバーチャルキーボードを投影するステップと、前記バーチャルキーボードを介して第一情報を入力するステップと、入力された前記第一情報を、第一リモート電子装置へ伝送するステップと、前記タッチスクリーンに入力された第二タッチジェスチャーに対して判別行い、前記第二タッチジェスチャーが予め設定された第二ジェスチャーにマッチングすると、前記第一投影ユニットが、第二投影領域に前記第二情報の内容を投影するステップと、を含む。【選択図】図３
2013145557.tif 000002
【特許請求の範囲】
【請求項１】
タッチスクリーン、バーチャルキーボードの投影ユニット、第一投影ユニットを備える携帯式電子装置に用いられるインスタントメッセージング方法において、
通信インタフェースを介して前記携帯式電子装置と第一リモート電子装置とのネットワークの接続を確立するステップと、
前記タッチスクリーンに入力された第一タッチジェスチャーに対して判別を行い、前記第一タッチジェスチャーが予め設定された第一ジェスチャーとマッチングすると、前記バーチャルキーボードの投影ユニットが、第一投影領域にバーチャルキーボードを投影するステップと、
前記バーチャルキーボードを介して第一情報を入力するステップと、
入力された前記第一情報を、前記ネットワーク接続を介して前記第一リモート電子装置へ伝送するステップと、
前記ネットワーク接続を介して前記第一リモート電子装置から伝送された第二情報を受信するステップと、
前記タッチスクリーンに入力された第二タッチジェスチャーに対して判別行い、前記第二タッチジェスチャーが予め設定された第二ジェスチャーにマッチングすると、前記第一投影ユニットが、第二投影領域に前記第二情報の内容を投影するステップと、
を含むことを特徴とする携帯式電子装置に用いられるインスタントメッセージング方法。
【請求項２】
前記携帯式電子装置は、第二投影ユニットをさらに備え、
前記携帯式電子装置に用いられるインスタントメッセージング方法は、
前記通信インタフェースを介して前記携帯式電子装置と第二リモート電子装置とのネットワークの接続を確立するステップと、
前記バーチャルキーボードを介して第三情報を入力するステップと、
入力された前記第三情報を、前記ネットワーク接続を介して前記第二リモート電子装置へ伝送するステップと、
前記ネットワーク接続を介して前記第二リモート電子装置から伝送された第四情報を受信するステップと、
前記タッチスクリーンに入力された第三タッチジェスチャーに対して判別を行い、前記第三タッチジェスチャーが予め設定された第三ジェスチャーとマッチングすると、前記第二投影ユニットが、第三投影領域に前記第四情報の内容を投影するステップと、
をさらに含むことを特徴とする請求項１に記載の携帯式電子装置に用いられるインスタントメッセージング方法。
【請求項３】
前記第一投影領域、前記第二投影領域及び前記第三投影領域は、それぞれ前記携帯式電子装置の異なる方位に位置することを特徴とする請求項２に記載の携帯式電子装置に用いられるインスタントメッセージング方法。
【請求項４】
前記予め設定された第一ジェスチャーは、第一方向に沿ってスライドされたジェスチャーであることを特徴とする請求項１〜３のいずれか１項に記載の携帯式電子装置に用いられるインスタントメッセージング方法。
【請求項５】
前記予め設定された第二ジェスチャーは第二方向に沿ってスライドされ、前記予め設定された第三ジェスチャーは第三方向に沿ってスライドされ、前記第二方向及び前記第三方向は全て前記第一方向に垂直であり、前記第二方向と前記第三方向とは、逆方向であることを特徴とする請求項２〜４のいずれか１項に記載の携帯式電子装置に用いられるインスタントメッセージング方法。
【請求項６】
タッチスクリーン、バーチャルキーボード投影ユニット、第一投影ユニットを備えている携帯式電子装置に用いられるインスタントメッセージングシステムにおいて、
通信インタフェースを介して前記携帯式電子装置と第一リモート電子装置とのネットワークの接続を確立する第一接続モジュールと、
前記タッチスクリーンに入力された第一タッチジェスチャーに対して判別を行い、前記第一タッチジェスチャーが予め設定された第一ジェスチャーとマッチングすると、前記バーチャルキーボードの投影ユニットが、第一投影領域にバーチャルキーボードを投影するキーボード投影モジュールと、
前記バーチャルキーボードを介して第一情報を入力する第一入力モジュールと、
入力された前記第一情報を、前記ネットワーク接続を介して前記第一リモート電子装置へ伝送する第一伝送モジュールと、
前記ネットワーク接続を介して前記第一リモート電子装置から伝送された第二情報を受信する第一受信モジュールと、
前記タッチスクリーンに入力された第二タッチジェスチャーに対して判別を行い、前記第二タッチジェスチャーが予め設定された第二ジェスチャーとマッチングすると、前記第一投影ユニットが、第二投影領域に前記第二情報の内容を投影する第一投影モジュールと、
を備えることを特徴とする携帯式電子装置に用いられるインスタントメッセージングシステム。
【請求項７】
前記携帯式電子装置は、第二投影ユニットをさらに備え、
前記携帯式電子装置に用いられるインスタントメッセージングシステムは、
前記通信インタフェースを介して前記携帯式電子装置と第二リモート電子装置とのネットワークの接続を確立する第二接続モジュールと、
前記バーチャルキーボードを介して第三情報を入力する第二入力モジュールと、
入力された前記第三情報を、前記ネットワーク接続を介して前記第二リモート電子装置へ伝送する第二伝送モジュールと、
前記ネットワーク接続を介して前記第二リモート電子装置から伝送された第四情報を受信する第二受信モジュールと、
前記タッチスクリーンに入力された第三タッチジェスチャーに対して判別を行い、前記第三タッチジェスチャーが予め設定された第三ジェスチャーとマッチングすると、前記第二投影ユニットが、第三投影領域に前記第四情報の内容を投影する第二投影モジュールと、
をさらに含むことを特徴とする請求項６に記載の携帯式電子装置に用いられるインスタントメッセージングシステム。
【請求項８】
前記第一投影領域、前記第二投影領域及び前記第三投影領域は、それぞれ前記携帯式電子装置の異なる方位に位置することを特徴とする請求項７に記載の携帯式電子装置に用いられるインスタントメッセージングシステム。
【請求項９】
前記予め設定された第一ジェスチャーは、第一方向に沿ってスライドされたジェスチャーであることを特徴とする請求項６〜８のいずれか１項に記載の携帯式電子装置に用いられるインスタントメッセージングシステム。
【請求項１０】
前記予め設定された第二ジェスチャーは、第二方向に沿ってスライドされ、前記予め設定された第三ジェスチャーは、第三方向に沿ってスライドされ、前記第二方向及び前記第三方向は、全て前記第一方向に垂直であり、前記第二方向と前記第三方向とは、逆方向であることを特徴とする請求項７〜９のいずれか１項に記載の携帯式電子装置に用いられるインスタントメッセージングシステム。
【発明の詳細な説明】
【技術分野】
【０００１】
本発明は、携帯式電子装置に関し、特に携帯式電子装置に用いられるインスタントメッセージング方法及びそのシステムに関するものである。
【背景技術】
【０００２】
３Ｇ技術及びＷｉ−Ｆｉネットワークの普及に伴い、現在も多種多様な携帯式電子装置（例えば、スマートフォン等）が日々開発されている。これらの携帯式電子装置は、通話機能を実現する以外にも、インターネットを利用してインスタントメッセージングを実施することができる。しかし、ユーザーが携帯式電子装置によってインスタントメッセージングを使用する際、表示画面が小さいために閲覧に不便であったり、また入力領域が小さいために情報の入力に不便であったりする。
【発明の概要】
【発明が解決しようとする課題】
【０００３】
以上の問題点に鑑みて、本発明は、閲覧及び情報の入力に便利である携帯式電子装置に用いられるインスタントメッセージング方法及びそのシステムを提供することを目的とする。
【課題を解決するための手段】
【０００４】
前記課題を解決するために、本発明に係るタッチスクリーン、バーチャルキーボードの投影ユニット、第一投影ユニットを備える携帯式電子装置に用いられるインスタントメッセージング方法は、通信インタフェースを介して前記携帯式電子装置と第一リモート電子装置とのネットワークの接続を確立するステップと、前記タッチスクリーンに入力された第一タッチジェスチャーに対して判別を行い、前記第一タッチジェスチャーが予め設定された第一ジェスチャーとマッチングすると、前記バーチャルキーボードの投影ユニットが、第一投影領域にバーチャルキーボードを投影するステップと、前記バーチャルキーボードを介して第一情報を入力するステップと、入力された前記第一情報を、前記ネットワーク接続を介して前記第一リモート電子装置へ伝送するステップと、前記ネットワーク接続を介して前記第一リモート電子装置から伝送された第二情報を受信するステップと、前記タッチスクリーンに入力された第二タッチジェスチャーに対して判別を行い、前記第二タッチジェスチャーが予め設定された第二ジェスチャーとマッチングすると、前記第一投影ユニットが、第二投影領域に前記第二情報の内容を投影するステップと、を含む。
【０００５】
また、前記課題を解決するために、本発明に係るタッチスクリーン、バーチャルキーボードの投影ユニット、第一投影ユニットを備える携帯式電子装置に用いられるインスタントメッセージングシステムは、通信インタフェースを介して前記携帯式電子装置と第一リモート電子装置とのネットワークの接続を確立する第一接続モジュールと、前記タッチスクリーンに入力された第一タッチジェスチャーに対して判別を行い、前記第一タッチジェスチャーが予め設定された第一ジェスチャーをマッチングすると、前記バーチャルキーボードの投影ユニットが、第一投影領域にバーチャルキーボードを投影するキーボード投影モジュールと、前記バーチャルキーボードを介して第一情報を入力する第一入力モジュールと、入力された前記第一情報を、前記ネットワーク接続を介して前記第一リモート電子装置へ伝送する第一伝送モジュールと、前記ネットワーク接続を介して前記第一リモート電子装置から伝送された第二情報を受信する第一受信モジュールと、前記タッチスクリーンに入力された第二タッチジェスチャーに対して判別を行い、前記第二タッチジェスチャーが予め設定された第二ジェスチャーをマッチングすると、前記第一投影ユニットが、第二投影領域に前記第二情報の内容を投影する第一投影モジュールと、を備える。
【発明の効果】
【０００６】
本発明に係る携帯式電子装置に用いられるインスタントメッセージング方法及びシステムは、バーチャルキーボード投影ユニットによってバーチャルキーボードを投影した後、このバーチャルキーボードを介して入力された情報を投影ユニットによって投影して表示させることができる。従って、ユーザーは、携帯式電子装置であっても、情報を便利に入力及び閲覧することができ、容易にインスタントメッセージングを使用することができる。
【図面の簡単な説明】
【０００７】
【図１】本発明に係る携帯式電子装置の機能ブロック図である。
【図２】本発明に係る携帯式電子装置を示す図である。
【図３】本発明に係る携帯式電子装置に用いられるインスタントメッセージング方法のフローチャートである。
【図４】図２に示した携帯式電子装置がバーチャルキーボードを投射した際の状態を示す図である。
【図５】図４に示した携帯式電子装置が情報を投射した際の状態を示す図である。
【図６】図５に示した携帯式電子装置が他の情報を投射した際の状態を示す図である。
【図７】本発明に係る携帯式電子装置に用いられるインスタントメッセージングシステムのブロック図である。
【発明を実施するための形態】
【０００８】
以下、図面に基づいて、本発明に係る携帯式電子装置に用いられるインスタントメッセージング方法及びそのシステムについて詳細に説明する。
【０００９】
図１を参照すると、本発明に係る携帯式電子装置１０は、中央処理装置１０１、記憶装置１０２、タッチスクリーン１０３、バーチャルキーボード投影ユニット１０４、第一投影ユニット１０５、第二投影ユニット１０６及び通信インタフェース１０７を備える。携帯式電子装置１０は、スマートフォン、個人携帯情報端末（ＰＤＡ）、タブレットパソコン等の電子装置である。中央処理装置１０１はデータを処理する一方、携帯式電子装置１０の他の機能ユニットを管理する。記憶装置１０２はデータを記憶し、且つランダムアクセスメモリ（ＲＡＭ）、フラッシュメモリ（ｆｌａｓｈ  ｍｅｍｏｒｙ）を含む。タッチスクリーン１０３はユーザインタフェースを表示し、且つユーザーによるタッチ操作を受ける。バーチャルキーボード投影ユニット１０４はバーチャルキーボードを投影し、且つユーザーが該投影されたバーチャルキーボードによって入力した情報を受信する。第一投影ユニット１０５及び第二投影ユニット１０６は、それぞれ制御命令に基づいて、入力された情報を投影して表示する。通信インタフェース１０７はＩＰネットワーク（例えば、インターネット）の接続に用いられる。通信インタフェース１０７は、３Ｇインタフェース又はＷｉ−Ｆｉインタフェースである。
【００１０】
図２を参照すると、本実施形態において、携帯式電子装置１０はスマートフォンである。タッチスクリーン１０３は携帯式電子装置１０の正面に位置し、バーチャルキーボード投影ユニット１０４は、携帯式電子装置１０の長手方向の側面に設置され、第一投影ユニット１０５及び第二投影ユニット１０６は、携帯式電子装置１０の短手方向の両側面にそれぞれ設置されている。
【００１１】
図３を参照すると、本発明に係る携帯式電子装置に用いられるインスタントメッセージング方法は、以下のステップ（Ｓ３０１〜Ｓ３１１）を含む。
【００１２】
ステップＳ３０１では、通信インタフェース１０７を介して携帯式電子装置１０と第一リモート電子装置（図示せず）とのネットワークの接続を確立する。
【００１３】
ステップＳ３０２では、タッチスクリーン１０３に入力された第一タッチジェスチャーに対して判別を行い、該第一タッチジェスチャーが予め設定された第一ジェスチャーとマッチングすると、バーチャルキーボード投影ユニット１０４は、第一投影領域２１にバーチャルキーボードを投影する。図４に示したように、本実施形態において、該予め設定された第一ジェスチャーとは、タッチスクリーン１０３上で、上側から下側へ第一方向（バーチャルキーボード投影ユニット１０４に近接する方向）３１に沿ってスライドさせたジェスチャーのことである。この際、第一投影領域２１はバーチャルキーボード投影ユニット１０４に対向して位置している。
【００１４】
ステップＳ３０３では、バーチャルキーボードを介して第一情報（例えば、文字情報）を入力する。
【００１５】
ステップＳ３０４では、入力した第一情報を、ネットワーク接続を介して第一リモート電子装置へ伝送する。
【００１６】
ステップＳ３０５では、ネットワーク接続を介して第一リモート電子装置から伝送された第二情報（例えば、文字又は映像情報）を受信する。
【００１７】
ステップＳ３０６では、タッチスクリーン１０３に入力された第二タッチジェスチャーに対して判別を行い、該第二タッチジェスチャーが予め設定された第二ジェスチャーとマッチングすると、第一投影ユニット１０５は、第二投影領域２２に該第二情報の内容を投影して表示させる。図５に示したように、本実施形態において、該予め設定された第二タッチジェスチャーとは、タッチスクリーン１０３において、右側から左側へ第二方向（第一投影ユニット１０５に近接する方向）３２に沿ってスライドさせたジェスチャーのことである。この際、第二投影領域２２は、第一投影ユニット１０５に対向するように位置し、第二方向３２は第一方向３１に垂直である。
【００１８】
ステップＳ３０７では、通信インタフェース１０７を介して携帯式電子装置１０と第二リモート電子装置（図示せず）とのネットワークの接続を確立する。
【００１９】
ステップＳ３０８では、バーチャルキーボードを介して第三情報（例えば、文字情報）を入力する。
【００２０】
ステップＳ３０９では、入力した第三情報を、ネットワーク接続を介して第二リモート電子装置へ伝送する。
【００２１】
ステップＳ３１０では、ネットワーク接続を介して第二リモート電子装置から伝送された第四情報（例えば、文字又は映像情報）を受信する。
【００２２】
ステップＳ３１１では、タッチスクリーン１０３に入力された第三タッチジェスチャーに対して判別を行い、該第三タッチジェスチャーが予め設定された第三ジェスチャーとマッチングすると、第二投影ユニット１０６は、第三投影領域２３に該第四情報の内容を投影して表示させる。図６に示したように、本実施形態において、該予め設定された第三ジェスチャーとは、タッチスクリーン１０３上で、左側から右側へ第三方向（第二投影ユニット１０６に近接する方向）３３に沿ってスライドさせたジェスチャーのことである。この際、第三投影領域２３は第二投影ユニット１０６に対向するように位置し、第三方向３２は第一方向３１に垂直であり、且つ第二方向とは逆方向である。
【００２３】
図７を参照すると、本発明に係る携帯式電子装置１０に用いられるインスタントメッセージングシステム７０は、第一接続モジュール７０１、キーボード投影モジュール７０２、第一入力モジュール７０３、第一伝送モジュール７０４、第一受信モジュール７０５、第一投影モジュール７０６、第二接続モジュール７０７、第二伝送モジュール７０８、第二入力モジュール７０９、第二受信モジュール７１０及び第二投影モジュール７１１を備える。
【００２４】
第一接続モジュール７０１は、通信インタフェース１０７を介して携帯式電子装置１０と第一リモート電子装置とのネットワークの接続を確立する。
【００２５】
キーボード投影モジュール７０２は、タッチスクリーン１０３に入力された第一タッチジェスチャーに対して判別を行い、該第一タッチジェスチャーが予め設定された第一ジェスチャーとマッチングすると、バーチャルキーボード投影ユニット１０４は、第一投影領域２１にバーチャルキーボードを投影する。図４に示したように、本実施形態において、該予め設定された第一ジェスチャーとは、タッチスクリーン１０３上で、上側から下側へ第一方向（バーチャルキーボード投影ユニット１０４に近接する方向）３１に沿ってスライドさせたジェスチャーのことである。この際、第一投影領域２１は、バーチャルキーボード投影ユニット１０４に対向するように位置している。
【００２６】
第一入力モジュール７０３は、バーチャルキーボードを介して第一情報（例えば、文字情報）を入力する。
【００２７】
第一伝送モジュール７０４は、入力した第一情報を、ネットワーク接続を介して第一リモート電子装置へ伝送する。
【００２８】
第一受信モジュール７０５は、ネットワーク接続を介して第一リモート電子装置から伝送された第二情報（例えば、文字又は影像情報）を受ける。
【００２９】
第一投影モジュール７０６は、タッチスクリーン１０３に入力された第二タッチジェスチャーに対して判別を行い、該第二タッチジェスチャーが予め設定された第二ジェスチャーとマッチングすると、第一投影ユニット１０５は、第二投影領域２２に該第二情報の内容を投影する。図５に示したように、本実施形態において、該予め設定された第二ジェスチャーとは、タッチスクリーン１０３上で、右側から左側へ第二方向（第一投影ユニット１０５に近接する方向）３２に沿ってスライドさせたジェスチャーのことである。この際、第二投影領域２２は、第一投影ユニット１０５に対向するように位置し、第二方向３２は第一方向３１に垂直である。
【００３０】
第二接続モジュール７０７は、通信インタフェース１０７を介して携帯式電子装置１０と第二リモート電子装置とのネットワークの接続を確立する。
【００３１】
第二入力モジュール７０８は、バーチャルキーボードを介して第三情報（例えば、文字情報）を入力する。
【００３２】
第二伝送モジュール７０９は、入力した第三情報を、ネットワーク接続を介して第二リモート電子装置へ伝送する。
【００３３】
第二受信モジュール７１０は、ネットワーク接続を介して第二リモート電子装置から伝送された第四情報（例えば、文字又は影像情報）を受ける。
【００３４】
第二投影モジュール７１１は、タッチスクリーン１０３に入力された第三タッチジェスチャーに対して判別を行い、該第三タッチジェスチャーが予め設定された第三ジェスチャーとマッチングすると、第二投影ユニット１０６は、第三投影領域２３に該第四情報の内容を投影して表示させる。図６に示したように、本実施形態において、該予め設定された第三ジェスチャーとは、タッチスクリーン１０３において、左側から右側へ第三方向（第二投影ユニット１０６に近接する方向）３３に沿ってスライドさせたジェスチャーのことである。この際、第三投影領域２３は、第二投影ユニット１０６に対向するように位置し、第三方向３２は第一方向３１に垂直であり、且つ第二方向とは逆方向である。
【００３５】
本発明に係る携帯式電子装置に用いられるインスタントメッセージング方法及びシステムは、バーチャルキーボード投影ユニット１０４によってバーチャルキーボードを投影した後、このバーチャルキーボードを介して入力された情報を、投影ユニット１０５、１０６によって投影して表示させることができる。従って、ユーザーは、携帯式電子装置であっても、情報を便利に入力及び閲覧することができ、容易にインスタントメッセージングを使用することができる。
【００３６】
以上、本発明の好適な実施形態について詳細に説明したが、本発明は実施形態に限定されるものではなく、本発明の範囲内で種々の変形又は修正が可能であり、該変形又は修正も本発明の特許請求の範囲内に含まれるものであることは、言うまでもない。
【符号の説明】
【００３７】
１０      携帯式電子装置
１０１    中央処理装置
１０２    記憶装置
１０３    タッチスクリーン
１０４    バーチャルキーボード投影ユニット
１０５    第一投影ユニット
１０６    第二投影ユニット
１０７    通信インタフェース
２１      第一投影領域
２２      第二投影領域
２３      第三投影領域
３１      第一方向
３２      第二方向
３３      第三方向
７０      インスタントメッセージングシステム
７０１    第一接続モジュール
７０２    キーボード投影モジュール
７０３    第一入力モジュール
７０４    第一伝送モジュール
７０５    第一受信モジュール
７０６    第一投影モジュール
７０７    第二接続モジュール
７０８    第二入力モジュール
７０９    第二伝送モジュール
７１０    第二受信モジュール
７１１    第二投影モジュール
【図１】
2013145557.tif 000003
【図２】
2013145557.tif 000004
【図３】
2013145557.tif 000005
【図４】
2013145557.tif 000006
【図５】
2013145557.tif 000007
【図６】
2013145557.tif 000008
【図７】
2013145557.tif 000009